(57)【要約】【課題】監視・操作装置の台数が少なくても、緊急時等に必要なリモートデスクトップ接続は確実に行えるようにし、プラントの安全性を確保しつつ、監視・操作装置の台数やそのための敷地を削減する。【解決手段】監視・操作装置１０は、リモートデスクトップ切断手段１１５を有する。この切断手段１１５は、遠隔ネットワーク４を介して所定の遠隔監視・操作装置とリモートデスクトップ接続されている場合に、当該遠隔監視・操作装置の優先度と他の未接続でかつリモートデスクトップ接続要求のあった遠隔監視・操作装置の優先度とを比較し、未接続の遠隔監視・操作装置の優先度の方が接続中の遠隔監視・操作装置の優先度より高い場合には、接続中の遠隔監視・操作装置と監視・操作装置とのリモートデスクトップ接続を切断する。【選択図】図２
2010271914.tif 000002
【特許請求の範囲】
【請求項１】
プラントの制御を行う複数の制御装置と、
前記複数の制御装置に接続された制御ネットワークと、
前記制御ネットワークを介して前記制御装置に接続することにより前記プラントを独立して監視・操作する複数の監視・操作装置と、
前記複数の監視・操作装置に接続された遠隔ネットワークと、
前記遠隔ネットワークを介して前記複数の監視・操作装置のうちの一つにリモートデスクトップ接続することにより前記プラントを遠隔より独立して監視・操作する複数の遠隔監視・操作装置と、を有するプラント遠隔監視制御システムであって、
前記監視・操作装置は、前記遠隔ネットワークを介して所定の遠隔監視・操作装置にリモートデスクトップ接続されている場合に、当該遠隔監視・操作装置の優先度と他の未接続でかつリモートデスクトップ接続要求のあった遠隔監視・操作装置の優先度とを比較し、前記未接続の遠隔監視・操作装置の優先度の方が前記接続中の遠隔監視・操作装置の優先度より高い場合には、前記接続中の遠隔監視・操作装置と前記監視・操作装置とのリモートデスクトップ接続を切断する手段を有することを特徴とするプラント遠隔監視制御システム。
【請求項２】
前記監視・操作装置は、更に、リモートデスクトップ接続が制限時間に達すると優先度を下げる手段を有することを特徴とする請求項１記載のプラント遠隔監視制御システム。
【請求項３】
前記監視・操作装置は、更に、一旦下がった優先度を元に戻す手段を有することを特徴とする請求項２記載のプラント遠隔監視制御システム。
【請求項４】
前記監視・操作装置及び前記遠隔監視・操作装置の少なくとも一方は、遠隔監視・操作装置から監視・操作装置への全てのリモートデスクトップ接続の状況を一覧表示する手段を有することを特徴とする請求項１乃至３のいずれか１項記載のプラント遠隔監視制御システム。
【請求項５】
プラントの制御を行う複数の制御装置と、
前記複数の制御装置に接続された制御ネットワークと、
前記制御ネットワークを介して前記制御装置に接続することにより前記プラントを独立して監視・操作する複数の監視・操作装置と、
前記複数の監視・操作装置に接続された遠隔ネットワークと、
前記遠隔ネットワークを介して前記複数の監視・操作装置のうちの一つにリモートデスクトップ接続することにより前記プラントを遠隔より独立して監視・操作する複数の遠隔監視・操作装置と、を有するプラント遠隔監視制御システムであって、
前記監視・制御装置は、前記リモートデスクトップ接続中の遠隔監視・操作装置が切断された時に、プラントへの実行途中の操作を中止する手段を有することを特徴とするプラント遠隔監視制御システム。
【請求項６】
前記リモートデスクトップ接続中の遠隔監視・操作装置の切断は、リモートデスクトップ接続されている遠隔監視・操作装置の優先度に応じて、他の未接続でかつリモートデスクトップ接続要求のあった遠隔監視・操作装置から切断されたものであることを特徴とする請求項５記載のプラント遠隔監視制御システム。
【請求項７】
プラントを遠隔より独立して監視・操作する複数の遠隔監視・操作装置のうちの一つとネットワークを介してリモートデスクトップ接続する監視・操作装置であって、
前記監視・操作装置は、前記ネットワークを介して所定の遠隔監視・操作装置にリモートデスクトップ接続されている場合に、当該遠隔監視・操作装置の優先度と他の未接続でかつリモートデスクトップ接続要求のあった遠隔監視・操作装置の優先度とを比較し、前記未接続の遠隔監視・操作装置の優先度の方が前記接続中の遠隔監視・操作装置の優先度より高い場合には、前記接続中の遠隔監視・操作装置と前記監視・操作装置とのリモートデスクトップ接続を切断する手段を有することを特徴とする監視・操作装置。
【請求項８】
プラントを遠隔より独立して監視・操作する複数の遠隔監視・操作装置のうちの一つとネットワークを介してリモートデスクトップ接続する監視・操作装置であって、
前記監視・制御装置は、前記リモートデスクトップ接続中の遠隔監視・操作装置が切断された時に、プラントへの実行途中の操作を中止する手段を有することを特徴とする監視・制御装置。
【発明の詳細な説明】
【技術分野】
【０００１】
本発明は、プラントの監視制御を行う装置とネットワークを介して接続された遠隔監視制御装置によって遠隔からプラントの監視制御を行うプラント遠隔監視制御システム及び監視・操作装置に関する。
【背景技術】
【０００２】
図１１に従来のプラント遠隔監視制御システムの構成図を示す。
【０００３】
このプラント遠隔監視制御システムは、制御ネットワーク３に、制御装置２〜２ｎと監視・操作装置１０〜１０ｎとを接続して構成されている。また、同システムは、遠隔ネットワーク４に、監視・操作装置１０〜１０ｎと、遠隔監視・操作装置２０〜２０ｎとを接続して構成されている（例えば、特許文献１参照）。
【０００４】
遠隔監視・操作装置２０〜２０ｎによる遠隔監視制御を実現するための方法の一つとして、離れた場所にある計算機装置を他の計算機装置を用いて操作するリモートデスクトップシステム（例えば、ｗｉｎｄｏｗｓ（登録商標）系のＯＳで用いられる「リモートデスクトップ」システム(特許文献２参照)）がある。
【０００５】
このように構成されたプラント遠隔監視制御システムにおいて、監視・操作装置１０〜１０ｎのいずれかで制御対象となる補機の操作を行うと、操作指令が制御ネットワーク３を経由して該当する制御装置２〜２ｎに伝わり、プラント１に対して操作指令を出力する。プラント１の状態情報は制御装置２に入力され、制御ネットワーク３を経由して監視・操作装置１０〜１０ｎに表示される。
【０００６】
また、遠隔監視・操作装置２０〜２０ｎのいずれかより監視・操作装置１０〜１０ｎのいずれかにリモートデスクトップ接続を行うと、遠隔ネットワーク４を経由して該当する監視・操作装置１０〜１０ｎの表示内容が該当する遠隔監視・操作装置２０〜２０ｎに伝わり、該当する遠隔監視・操作装置２０〜２０ｎにてその表示内容が表示される。また、遠隔ネットワーク４を経由して該当する遠隔監視・操作装置２０〜２０ｎの操作内容が該当する監視・操作装置１０〜１０ｎに伝わり、該当する監視・操作装置１０〜１０ｎにてその操作内容と同等のことが行われる。
【０００７】
従って、リモートデスクトップ接続を行うことにより、プラント１の状態情報は、制御装置２〜２ｎ、制御ネットワーク３、監視・操作装置１０〜１０ｎ、及び遠隔ネットワーク４を経由して、遠隔監視・操作装置２０〜２０ｎに表示される。また、遠隔監視・操作装置２０〜２０ｎからのいずれかで制御対象となる補機の操作を行うと、遠隔ネットワーク４、監視・操作装置１０〜１０ｎ、及び制御ネットワーク３を経由し、該当する制御装置２〜２ｎを経由して、プラント１に対して操作指令を出力する。
【０００８】
なお、遠隔監視・操作装置２０〜２０ｎのいずれかより監視・操作装置１０〜１０ｎのいずれかにリモートデスクトップ接続を行うと、該当する監視・操作装置１０〜１０ｎに他の遠隔監視・操作装置２０〜２０ｎからリモートデスクトップ接続することは不可能である。
【０００９】
図１２に遠隔監視・操作装置２０における具体的な構成及び処理フローを、図１３に監視・操作装置１０における具体的な構成及び処理フローを示す。
【００１０】
なお、遠隔監視・操作装置２０ａ〜２０ｎの処理フローは遠隔監視・操作装置２０と同様であり、監視・操作装置１０ａ〜１０ｎの処理フローは監視・操作装置１０と同様である。
【００１１】
図１２において、画面表示機器２１と操作入力機器２２は遠隔監視・操作装置２０に付随する機器である。画面表示機器２１は、遠隔監視・操作装置２０の操作者に文字や画像等により情報を提示する機能を有するモニタ等の機器である。他方、操作入力機器２２は、操作者が遠隔監視・操作装置２０を操作する機能を有するキーボードやマウス等の機器である。
【００１２】
次に、遠隔監視・操作装置２０は、画面表示手段２０１と、操作入力手段２０２と、リモートデスクトップクライアント手段２０４とによって構成される。先ず、画面表示手段２０１は、遠隔監視・操作装置２０が操作者に提示すべき情報を画面表示機器２１に出力する機能を提供する手段である。次に、操作入力手段２０２は、操作者の遠隔監視・操作装置２０への操作要求を操作入力機器２２より入力する機能を提供する手段である。更に、リモートデスクトップクライアント手段２０４は以下の五つの機能を提供する。
【００１３】
（１）リモートデスクトップ接続していない状況において、操作者よりの監視・操作装置１０へのリモートデスクトップ接続要求を操作入力機器２２および操作入力手段２０２を介して入力し、リモートデスクトップ接続要求を監視・操作装置１０に向けて遠隔ネットワーク４に出力し、監視・操作装置１０との間でリモートデスクトップ接続を確立する。
【００１４】
（２）監視・操作装置１０とのリモートデスクトップ接続が確立している状況において、監視・操作装置１０が操作者に提示すべき情報を遠隔ネットワーク４より入力し、画面表示手段２０１および画面表示機器２１を介して操作者に出力する。
【００１５】
（３）監視・操作装置１０とのリモートデスクトップ接続が確立している状況において、操作者よりの監視・操作装置１０に向けた操作要求を操作入力機器２２および操作入力手段２０２を介して入力し、操作要求を監視・操作装置１０に向けて遠隔ネットワーク４に出力する。
【００１６】
（４）監視・操作装置１０とのリモートデスクトップ接続が確立している状況において、操作者よりの監視・操作装置１０とのリモートデスクトップ接続切断要求を操作入力機器２２および操作入力手段２０２を介して入力し、リモートデスクトップ接続切断要求を監視・操作装置１０に向けて遠隔ネットワーク４に出力し、監視・操作装置１０とのリモートデスクトップ接続を解消する。
【００１７】
（５）監視・操作装置１０とのリモートデスクトップ接続が確立している状況において、遠隔ネットワーク４や監視・操作装置１０の異常等により通信不良となった場合には、監視・操作装置１０とのリモートデスクトップ接続を解消する。
【００１８】
図１３において、画面表示機器１１と操作入力機器１２は監視・操作装置１０に付随する機器である。画面表示機器１１は、監視・操作装置１０の操作者に文字や画像等により情報を提示する機能を有するモニタ等の機器である。他方、操作入力機器１２は、操作者が監視・操作装置１０を操作する機能を有するキーボードやマウス等の機器である。
【００１９】
次に、監視・操作装置１０は、画面表示手段１０１と、操作入力手段１０２と、プラント監視操作手段１０３と、リモートデスクトップサーバ手段１０４とによって構成される。
【００２０】
先ず、画面表示手段１０１は、監視・操作装置１０が操作者に提示すべき情報を画面表示機器１１等に出力する機能を提供する手段である。次に、操作入力手段１０２は、操作者の遠隔監視・操作装置１０への操作要求を操作入力機器１２等より入力する機能を提供する手段である。また、プラント監視操作手段１０３は以下の二つの機能を提供する。
【００２１】
（１）制御装置２〜２ｎより出力されたプラント１の状態情報を制御ネットワーク３を介して入力し、画面表示手段１０１を介して操作者に出力する。
【００２２】
（２）操作者よりのプラント１への補機操作要求を操作入力手段１０２を介して入力し、プラント補機操作要求を該当する制御装置２〜２ｎに向けて制御ネットワーク３に出力する。
【００２３】
更に、リモートデスクトップサーバ手段１０４は以下の五つの機能を提供する。
【００２４】
（１）リモートデスクトップ接続されていない状況において、遠隔監視・操作装置２０よりのリモートデスクトップ接続要求を遠隔ネットワーク４より入力し、要求元の遠隔監視・操作装置２０との間でリモートデスクトップ接続を確立する。
【００２５】
（２）遠隔監視・操作装置２０とのリモートデスクトップ接続が確立している状況において、遠隔監視・操作装置２０の操作者よりの監視・操作装置１０に向けた操作要求を、画面表示手段１０１より入力し遠隔ネットワーク４に出力する。
【００２６】
（３）遠隔監視・操作装置２０とのリモートデスクトップ接続が確立している状況において、監視・操作装置１０が操作者に提示すべき情報を、遠隔ネットワーク４より入力し操作入力手段１０２に出力する。
【００２７】
（４）遠隔監視・操作装置２０とのリモートデスクトップ接続が確立している状況において、遠隔監視・操作装置２０よりのリモートデスクトップ接続切断要求を遠隔ネットワーク４より入力し、遠隔監視・操作装置２０とのリモートデスクトップ接続を解消する。
【００２８】
（５）遠隔監視・操作装置２０とのリモートデスクトップ接続が確立している状況において、遠隔ネットワーク４や遠隔監視・操作装置２０の異常等により通信不良となった場合には、遠隔監視・操作装置２０とのリモートデスクトップ接続を解消する。
【先行技術文献】
【特許文献】
【００２９】
【特許文献１】特開２００４−１５１９９７号公報（１０頁  図２）
【特許文献２】特開２００６−１５５３２７号公報（４頁  背景技術）
【発明の概要】
【発明が解決しようとする課題】
【００３０】
従来のプラント遠隔監視制御システムでは、監視・操作装置１０〜１０ｎの台数よりも遠隔監視・操作装置２０〜２０ｎの台数が多い場合において、監視・操作装置１０〜１０ｎの全てがリモートデスクトップ接続されている時には、遠隔監視・操作装置２０〜２０ｎのうちリモートデスクトップ未接続のものからリモートデスクトップ接続できず、該当する遠隔監視・操作装置２０〜２０ｎからのプラント監視・操作が不可能であった。
【００３１】
このため、緊急時等に特定の遠隔監視・操作装置２０〜２０ｎより確実にプラントの監視・操作を行うためには、遠隔監視・操作装置２０〜２０ｎの台数と同じだけの監視・操作装置１０〜１０ｎが必要となる。しかし、監視・操作装置１０〜１０ｎはプラント内の中央操作室のみに置かれることが多く、場所が限られることから台数を増やしにくい。また、無理に監視・操作装置１０〜１０ｎの台数を増やすと、監視・操作装置１０〜１０ｎの稼働率が下がってしまう。
【００３２】
他方、遠隔監視・操作装置２０〜２０ｎは、プラント内の各所やプラント関係者の自宅、複数のプラントを統括する拠点など様々な場所に置かれることが多く、台数が多くなりやすいが、監視・操作に専任していない人が使用することも多く、稼働率は低い。
【００３３】
そこで、本発明の目的は、監視・操作装置の台数が少なくても、緊急時等に必要なリモートデスクトップ接続は確実に行えるようにし、プラントの安全性を確保しつつ、監視・操作装置の台数やそのための敷地を削減することにある。
【００３４】
また、遠隔監視・操作装置２０〜２０ｎよりプラント補機のモータを動作させている最中において遠隔ネットワークの異常等が発生した場合、遠隔監視・操作装置２０〜２０ｎからの操作によってプラント補機のモータの動作を制御することが不可能となる。この場合、プラント補機自体や関連機器の損傷や、プラント補機付近にいる人への殺傷の危険性があった。
【００３５】
そこで、本発明の他の目的は、遠隔監視・操作装置よりプラント補機のモータを動作させている最中に遠隔ネットワークの異常等が発生した場合であっても、プラント補機自体や関連機器の損傷や、プラント補機付近にいる人への殺傷を防止できるプラント遠隔監視制御システム及び監視・操作装置を提供することにある。
【課題を解決するための手段】
【００３６】
上述の目的を達成するため、本発明のプラント遠隔監視制御システムは、プラントの制御を行う複数の制御装置と、前記複数の制御装置に接続された制御ネットワークと、前記制御ネットワークを介して前記制御装置に接続することにより前記プラントを独立して監視・操作する複数の監視・操作装置と、前記複数の監視・操作装置に接続された遠隔ネットワークと、前記遠隔ネットワークを介して前記複数の監視・操作装置のうちの一つにリモートデスクトップ接続することにより前記プラントを遠隔より独立して監視・操作する複数の遠隔監視・操作装置と、を有するプラント遠隔監視制御システムであって、前記監視・操作装置は、前記遠隔ネットワークを介して所定の遠隔監視・操作装置にリモートデスクトップ接続されている場合に、当該遠隔監視・操作装置の優先度と他の未接続でかつリモートデスクトップ接続要求のあった遠隔監視・操作装置の優先度とを比較し、前記未接続の遠隔監視・操作装置の優先度の方が前記接続中の遠隔監視・操作装置の優先度より高い場合には、前記接続中の遠隔監視・操作装置と前記監視・操作装置とのリモートデスクトップ接続を切断する手段を有することを特徴とする。
【００３７】
また、上述の目的を達成するため、本発明のプラント遠隔監視制御システムは、プラントの制御を行う複数の制御装置と、前記複数の制御装置に接続された制御ネットワークと、前記制御ネットワークを介して前記制御装置に接続することにより前記プラントを独立して監視・操作する複数の監視・操作装置と、前記複数の監視・操作装置に接続された遠隔ネットワークと、前記遠隔ネットワークを介して前記複数の監視・操作装置のうちの一つにリモートデスクトップ接続することにより前記プラントを遠隔より独立して監視・操作する複数の遠隔監視・操作装置と、を有するプラント遠隔監視制御システムであって、  前記監視・制御装置は、前記リモートデスクトップ接続中の遠隔監視・操作装置が切断された時に、プラントへの実行途中の操作を中止する手段を有することを特徴とする。
【００３８】
また、上述の目的を達成するため、本発明の監視・操作装置は、プラントを遠隔より独立して監視・操作する複数の遠隔監視・操作装置のうちの一つとネットワークを介してリモートデスクトップ接続する監視・操作装置であって、前記監視・操作装置は、前記ネットワークを介して所定の遠隔監視・操作装置にリモートデスクトップ接続されている場合に、当該遠隔監視・操作装置の優先度と他の未接続でかつリモートデスクトップ接続要求のあった遠隔監視・操作装置の優先度とを比較し、前記未接続の遠隔監視・操作装置の優先度の方が前記接続中の遠隔監視・操作装置の優先度より高い場合には、前記接続中の遠隔監視・操作装置と前記監視・操作装置とのリモートデスクトップ接続を切断する手段を有することを特徴とする。
【００３９】
また、上述の目的を達成するため、本発明の監視・操作装置は、  プラントを遠隔より独立して監視・操作する複数の遠隔監視・操作装置のうちの一つとネットワークを介してリモートデスクトップ接続する監視・操作装置であって、前記監視・制御装置は、前記リモートデスクトップ接続中の遠隔監視・操作装置が切断された時に、プラントへの実行途中の操作を中止する手段を有することを特徴とする。
【発明の効果】
【００４０】
本発明によれば、遠隔監視・操作装置に優先度を設け、優先度に応じて他の遠隔監視・操作装置のリモートデスクトップ接続を切断することを可能とし、監視・操作装置の台数が少なくても、緊急時等に必要なリモートデスクトップ接続は確実に行うことができる。このため、プラントの安全性を確保しつつ、監視・操作装置の台数やそのための敷地を削減することができる。
【００４１】
また、本発明によれば、遠隔監視・操作装置よりプラント補機のモータを動作させている最中に遠隔ネットワークの異常等が発生した場合には、プラント補機のモータを停止できる。このため、プラント補機自体や関連機器の損傷や、プラント補機付近にいる人への殺傷を回避でき、安全性が高まる。
【図面の簡単な説明】
【００４２】
【図１】本発明の第１の実施の形態に係るプラント遠隔監視制御システムにおける遠隔監視・操作装置の構成及び処理フローを示すブロック図。
【図２】本発明の第１の実施の形態に係るプラント遠隔監視制御システムにおける監視・操作装置の構成及び処理フローを示すブロック図。
【図３】本発明の第１の実施の形態に係るプラント遠隔監視制御システムにおけるリモートデスクトップクライアント優先度情報の一例を示すフォーマット図。
【図４】本発明の第１の実施の形態に係るプラント遠隔監視制御システムにおけるリモートデスクトップクライアント制限時間情報の一例を示すフォーマット図。
【図５】本発明の第２の実施の形態に係るプラント遠隔監視制御システムにおける遠隔監視・操作装置の構成及び処理フローを示すブロック図。
【図６】本発明の第２の実施の形態に係るプラント遠隔監視制御システムにおける監視・操作装置の構成及び処理フローを示すブロック図。
【図７】本発明の第３の実施の形態に係るプラント遠隔監視制御システムにおける遠隔監視・操作装置の構成及び処理フローを示すブロック図。
【図８】本発明の第３の実施の形態に係るプラント遠隔監視制御システムにおける監視・操作装置の構成及び処理フローを示すブロック図。
【図９】本発明の第３の実施の形態に係るプラント遠隔監視制御システムにおける遠隔監視・操作装置の表示画面の一例を示すフォーマット図。
【図１０】本発明の第４の実施の形態に係るプラント遠隔監視制御システムにおける監視・操作装置の構成及び処理フローを示すブロック図。
【図１１】従来のプラント遠隔監視制御システムの構成例を示す概略図。
【図１２】従来のプラント遠隔監視制御システムにおける遠隔監視・操作装置の構成及び処理フローを示すブロック図。
【図１３】従来のプラント遠隔監視制御システムにおける監視・操作装置の構成及び処理フローを示すブロック図。
【発明を実施するための形態】
【００４３】
以下、本発明に係るプラント遠隔監視制御システムの実施の形態について、図面を参照して説明する。なお、従来例と同一の構成部分には同一の符号を付して説明を省略する。
【００４４】
（第１の実施の形態）
（プラント遠隔監視制御システムの構成）
図１及び図２は、それぞれ、本発明の第１の実施の形態に係るプラント遠隔監視制御システムにおける遠隔監視・操作装置２０と監視・操作装置１０の構成及び処理フローを示すものである。
【００４５】
このプラント遠隔監視制御システムの遠隔監視・操作装置２０（図１）では、従来のもの（図１２）と比べてリモートデスクトップ接続切断要求手段２１５が追加されている。
【００４６】
また、このプラント遠隔監視制御システムの監視・操作装置１０（図２）では、従来のもの（図１３）と比べて、リモートデスクトップ切断手段１１５、リモートデスクトップクライアント優先度情報１５０、リモートデスクトップ接続時間監視手段１１７、及びリモートデスクトップクライアント制限時間情報１５１が追加されている。
【００４７】
ここで、リモートデスクトップクライアント優先度情報１５０は、遠隔監視・操作装置２０〜２０ｎのそれぞれの識別情報とその優先度から構成されるデータベースである。
【００４８】
また、リモートデスクトップクライアント制限時間情報１５１は、遠隔監視・操作装置２０〜２０ｎのそれぞれの識別情報とそのリモートデスクトップ接続の制限時間から構成されるデータベースである。
【００４９】
なお、遠隔監視・操作装置２０ａ〜２０ｎについても遠隔監視・操作装置２０と同様であり、監視・操作装置１０ａ〜１０ｎについても監視・操作装置１０と同様である。
【００５０】
（プラント遠隔監視制御システムの処理フロー）
図１において、遠隔監視・操作装置２０におけるリモートデスクトップ切断要求手段２１５は、操作者よりの任意の監視・操作装置１０〜１０ｎへのリモートデスクトップ切断要求を操作入力機器２２および操作入力手段２０２を介して入力し、リモートデスクトップ切断要求を該当する監視・操作装置１０〜１０ｎに向けて遠隔ネットワーク４に出力する機能を提供する。
【００５１】
図２において、リモートデスクトップ切断手段１１５は、遠隔監視・操作装置２０〜２０ｎのいずれかである遠隔監視・操作装置２０ｘとのリモートデスクトップ接続が確立している状況において、以下の処理を行う。
【００５２】
先ず、遠隔監視・操作装置２０〜２０ｎのいずれかである遠隔監視・操作装置２０ｙよりのリモートデスクトップ切断要求を遠隔ネットワーク４より入力する。次に、リモートデスクトップクライアント優先度情報１５０において遠隔監視・操作装置２０ｙの優先度が遠隔監視・操作装置２０ｘよりも高い場合にのみ、リモートデスクトップサーバ手段１０４にリモートデスクトップ切断要求を出力し、遠隔監視・操作装置２０ｘとのリモートデスクトップ接続を解消する。
【００５３】
図３に、リモートデスクトップクライアント優先度情報１５０の内容例を示す。この例では識別情報としてＩＰアドレスが指定されている。また、優先度は１〜９の整数で指定されており、大きい整数の方が高い優先度を表し、１が最低、９が最高となっている。
【００５４】
この例の場合、緊急時に確実に使用したい遠隔監視・操作装置の優先度を９とし、会議室等にあり通常は使用せず、使用時も参考程度にしか使用しない遠隔監視・操作装置の優先度を２、それ以外の遠隔監視・操作装置の優先度を５としている。優先度が５である遠隔監視・操作装置２０ｃと監視・操作装置１０の間でリモートデスクトップ接続が確立している状況において、優先度が２である遠隔監視・操作装置２０ａや優先度が５である遠隔監視・操作装置２０nから監視・操作装置１０へのリモートデスクトップ切断要求は成功しない。しかし、優先度が９である遠隔監視・操作装置２０ｂから監視・操作装置１０へのリモートデスクトップ切断要求は成功する。切断後、遠隔監視・操作装置２０ｂから監視・操作装置１０にリモートデスクトップ接続できるようになる。
【００５５】
図２において、リモートデスクトップ接続時間監視手段１１７は、遠隔監視・操作装置２０〜２０ｎのいずれかである遠隔監視・操作装置２０ｘとのリモートデスクトップ接続が確立している状況において、リモートデスクトップ接続が確立してからの接続時間を監視する。次に、リモートデスクトップ接続時間監視手段１１７は、リモートデスクトップクライアント制限時間情報１５１において遠隔監視・操作装置２０ｘの制限時間を接続時間が超えた場合には、リモートデスクトップクライアント優先度情報１５０の遠隔監視・操作装置２０ｘの優先度を最低にする。また、リモートデスクトップ接続時間監視手段１１７は、遠隔監視・操作装置２０ｘとのリモートデスクトップ接続が解消された場合には、リモートデスクトップクライアント優先度情報１５０の遠隔監視・操作装置２０ｘの優先度を最低にしていた場合、その優先度を元の優先度に戻す。
【００５６】
図４にリモートデスクトップクライアント制限時間情報１５１の内容例を示す。この例では識別情報としてＩＰアドレスが指定されている。また、制限時間が無制限もしくは１〜２４の整数で時間(６０分間)を単位として指定されている。
【００５７】
この例の場合、会議室等にあり通常は使用しない遠隔監視・操作装置の制限時間を２時間、常時使用する遠隔監視・操作装置の制限時間を無制限、それ以外の遠隔監視・操作装置の制限時間を４時間としている。優先度が２であり制限時間が２時間である遠隔監視・操作装置２０ａと監視・操作装置１０の間でリモートデスクトップ接続が確立している状況において、遠隔監視・操作装置２０ａが接続を開始した直後は、優先度が２である遠隔監視・操作装置２０から監視・操作装置１０へのリモートデスクトップ切断要求は成功しない。しかし、遠隔監視・操作装置２０ａが接続を開始して２時間を超えると、遠隔監視・操作装置２０ａの優先度は１となり、優先度が２である遠隔監視・操作装置２０から監視・操作装置１０へのリモートデスクトップ切断要求は成功する。
【００５８】
なお、本実施形態では、モートデスクトップクライアント優先度情報１５０とリモートデスクトップクライアント制限時間情報１５１は別個のものとしているが、識別情報、優先度、及び制限時間から構成される統合された１個のデータベースとすることもできる。
【００５９】
（プラント遠隔監視制御システムの効果）
本実施形態のプラント遠隔監視制御システムによれば、監視・操作装置の台数が十分でない場合でも、緊急時等に確実に使用したい重要な遠隔監視・操作装置の優先度を高くしておくことにより、重要な遠隔・監視装置のリモートデスクトップ接続は確実に行えるようになる。この結果、プラントの安全性を確保しつつ、監視・操作装置の台数やそのための敷地を削減することができる。
【００６０】
また、操作者が一時的にしか訪れない遠隔監視・操作装置に制限時間を設定しておくことにより、その遠隔監視・操作装置のリモートデスクトップ接続を操作者が切断し忘れて立ち去った場合に、他の遠隔・監視装置から切断できるようになる。この結果、切断し忘れた遠隔監視・操作装置を切断するために再度訪れる必要がなく、操作者の手間を軽減することができる。
【００６１】
また、遠隔監視・操作装置２０ｘとのリモートデスクトップ接続が確立している状況において、リモートデスクトップ接続時間監視手段１１７において接続時間が制限時間を超えた場合に、遠隔監視・操作装置２０ｘにその旨を通知し表示させるようにすれば、遠隔監視・操作装置２０ｘの操作者は制限時間や接続時間を意識することなく優先度低下に気づくことができ、本来の作業に集中することができ、操作者の作業効率が向上する。
【００６２】
（第２の実施の形態）
（プラント遠隔監視制御システムの構成）
図５及び図６は、それぞれ、本発明の第２の実施の形態に係るプラント遠隔監視制御システムにおける遠隔監視・操作装置２０と監視・操作装置１０の構成及び処理フローを示すものである。
【００６３】
このプラント遠隔監視制御システムの遠隔監視・操作装置２０（図５）では、第１の実施の形態（図１）と比べて、リモートデスクトップ接続時間リセット要求手段２１８が追加されている。
【００６４】
また、このプラント遠隔監視制御システムの監視・操作装置１０（図６）では、第１の実施の形態（図１）と比べて、リモートデスクトップ接続時間監視手段１１７の代わりにリモートデスクトップ接続時間監視・リセット手段１１８が設けられている。
【００６５】
（プラント遠隔監視制御システムの処理フロー）
図５において、リモートデスクトップ接続時間リセット要求手段２１８は、監視・操作装置１０とのリモートデスクトップ接続が確立している状況において、操作者からの監視・操作装置１０へのリモートデスクトップ接続時間リセット要求を操作入力機器２２および操作入力手段２０２を介して入力し、リモートデスクトップ接続時間リセット要求を監視・操作装置１０に向けて遠隔ネットワーク４に出力する機能を提供する。
【００６６】
図６において、リモートデスクトップ接続時間監視・リセット手段１１８は、遠隔監視・操作装置２０〜２０ｎのいずれかである遠隔監視・操作装置２０ｘとのリモートデスクトップ接続が確立している状況において、リモートデスクトップ接続時間監視手段１１７の機能に加えて、次の機能を提供する。第一に、遠隔監視・操作装置２０ｘよりのリモートデスクトップ接続時間リセット要求を遠隔ネットワーク４より入力し、遠隔監視・操作装置２０ｘの接続時間を０に戻す。第二に、リモートデスクトップクライアント優先度情報１５０の遠隔監視・操作装置２０ｘの優先度を最低にしていた場合、その優先度を元の優先度に戻す。
【００６７】
（プラント遠隔監視制御システムの効果）
本実施形態のプラント遠隔監視制御システムによれば、会議室で制限時間の設定されている遠隔監視・操作装置を使用している操作者が、会議延長などによりリモートデスクトップ接続を制限時間を超えて継続したい状況になった場合などに、リモートデスクトップ接続時間リセット要求を行うことで、優先度を元に戻すことができる。この結果、一旦切断して接続し直すことなく、優先度を元に戻すことができ、操作者の手間を軽減することができる。
【００６８】
（第３の実施の形態）
（プラント遠隔監視制御システムの構成）
図７及び図８は、それぞれ、本発明の第３の実施の形態に係るプラント遠隔監視制御システムにおける遠隔監視・操作装置２０と監視・操作装置１０の構成及び処理フローを示すものである。
【００６９】
このプラント遠隔監視制御システムの遠隔監視・操作装置２０（図７）では、第２の実施の形態（図５）と比べて、リモートデスクトップ接続状況収集・表示手段２１９が追加されている。
【００７０】
また、このプラント遠隔監視制御システムの監視・操作装置１０（図８）では、第２の実施の形態（図６）と比べて、リモートデスクトップ接続状況通知手段１１９が追加されている。
【００７１】
（プラント遠隔監視制御システムの処理フロー）
図８において、リモートデスクトップ接続状況通知手段１１９は、監視・操作装置１０自身に関してリモートデスクトップ接続を確立している相手の遠隔監視・操作装置の識別情報や優先度や接続時間等のリモートデスクトップ接続状況を遠隔ネットワーク４に出力する機能を提供する。
【００７２】
図７において、リモートデスクトップ接続状況収集・表示手段２１９は、遠隔ネットワーク４を介し監視・操作装置１０〜１０ｎより出力されるリモートデスクトップ接続状況を入力し、それらを表等の形式でまとめて画面表示手段２０１に出力する機能を提供する。
【００７３】
図９に監視・捜査装置の接続状況についての表示画面の一例を示す。
【００７４】
画面表示例１６０では、各々の監視・制御装置についての接続の有無、接続相手、優先度、制限時間、接続時間が表の形式でまとめて表示されている。
【００７５】
なお、本実施の形態では第２の実施の形態と組み合わせた例を示したが、第１の実施の形態や従来例と組み合わせることも可能である。
【００７６】
（プラント遠隔監視制御システムの効果）
本実施形態のプラント遠隔監視制御システムによれば、遠隔監視・操作装置の操作者が監視・操作装置の接続状況を簡単に的確に把握することができ、リモートデスクトップ接続要求やリモートデスクトップ接続切断要求を行った場合に成功する監視・操作装置を簡単に見つけ出すことが可能となり、操作者の手間を軽減することができる。また、接続時間が長い等の不自然なリモートデスクトップ接続を簡単に見つけ出すことが可能となり、安全性が高まる。
【００７７】
（第４の実施の形態）
（プラント遠隔監視制御システムの構成）
図１０は、本発明の第４の実施の形態に係るプラント遠隔監視制御システムにおける監視・操作装置１０の構成及び処理フローを示すものである。
【００７８】
このプラント遠隔監視制御システムの監視・操作装置１０（図１０）では、従来のもの（図１３）と比べて、リモートデスクトップ切断時操作終了手段１２０が追加されている。
【００７９】
（プラント遠隔監視制御システムの処理フロー）
図１０において、リモートデスクトップ切断時操作終了手段１２０は、遠隔監視・操作装置２０とのリモートデスクトップ接続が確立している状況において、遠隔監視・操作装置２０からのプラント補機操作中に、遠隔監視・操作装置２０の操作者からの遠隔ネットワーク４の異常等によりリモートデスクトップサーバ手段１０４がリモートデスクトップ接続を解消した際に、プラント補機操作を中止する要求をプラント監視操作手段１０３に出力する機能を提供する。
【００８０】
なお、本実施の形態では従来例と組み合わせた例を示したが、第１の実施の形態〜第３の実施の形態と組み合わせることも可能である。
【００８１】
（プラント遠隔監視制御システムの効果）
本実施形態のプラント遠隔監視制御システムによれば、遠隔監視・操作装置よりプラント補機のモータを動作させている最中に遠隔ネットワークの異常等が発生した場合に、遠隔監視・操作装置よりの操作は不可能となるが、プラント補機のモータは停止するため、プラント補機自体や関連機器の損傷や、プラント補機付近にいる人への殺傷を回避でき、安全性が高まる。
【符号の説明】
【００８２】
１…プラント、２，２ａ〜２ｎ…制御装置、３…制御ネットワーク、４…遠隔ネットワーク、１０，１０ａ〜１０ｎ…監視・操作装置、１１…画面表示機器、１２…操作入力機器、２０，２０ａ〜２０ｎ…遠隔監視・操作装置、２１…画面表示機器、２２…操作入力機器、１０１…画面表示手段、１０２…操作入力手段、１０３…プラント監視操作手段、１０４…リモートデスクトップサーバ手段、１１５…リモートデスクトップ切断手段、１１７…リモートデスクトップ接続時間監視手段、１１８…リモートデスクトップ接続時間監視・リセット手段、１５０…リモートデスクトップクライアント優先度情報、１５１…リモートデスクトップクライアント制限時間情報、１６０…画面表示例、２０１…画面表示手段、２０２…操作入力手段、２０４…リモートデスクトップクライアント手段、２１５…リモートデスクトップ切断要求手段、２１８…リモートデスクトップ接続時間リセット要求手段、２１９…リモートデスクトップ接続状況収集・表示手段
【図１】
2010271914.tif 000003
【図２】
2010271914.tif 000004
【図３】
2010271914.tif 000005
【図４】
2010271914.tif 000006
【図５】
2010271914.tif 000007
【図６】
2010271914.tif 000008
【図７】
2010271914.tif 000009
【図８】
2010271914.tif 000010
【図９】
2010271914.tif 000011
【図１０】
2010271914.tif 000012
【図１１】
2010271914.tif 000013
【図１２】
2010271914.tif 000014
【図１３】
2010271914.tif 000015